(57)【要約】【課題】ボタン押下検出の汎用性を高めることができるタッチパネル装置を提供する。【解決手段】タッチパネル装置は、互いに対向して配置される一対の透明導電膜の一方に設けられる複数のボタンエリアと、複数のボタンエリアのそれぞれの外縁に設けられる低抵抗額縁部と、複数のボタンエリアのうち、隣り合うボタンエリアの間を接続する高抵抗接続部と、を備える。複数のボタンエリアは、透明導電膜に設けられる一対の電極の間で電気的に直列に接続される。【選択図】図７
2019086811.tif 000002
【特許請求の範囲】
【請求項１】
互いに対向して配置される一対の透明導電膜を備えるタッチパネル装置であって、
前記一対の透明導電膜の一方に設けられる複数のボタンエリアと、
前記複数のボタンエリアのそれぞれの外縁に設けられる低抵抗の額縁部と、
前記複数のボタンエリアのうち、隣り合うボタンエリアの間を接続する高抵抗の接続部と、
を備え、
前記複数のボタンエリアは、前記透明導電膜に設けられる一対の電極の間で電気的に直列に接続される、
タッチパネル装置。
【請求項２】
前記複数のボタンエリアを区分するスリットを備える、
請求項１に記載のタッチパネル装置。
【請求項３】
前記透明導電膜は、
画像表示や情報入力を行うディスプレイ入力エリアと、
複数のボタンエリアを含み、ボタン操作による入力を行うためのボタン入力エリアと、を有し、
前記ディスプレイ入力エリア及び前記ボタン入力エリアは、前記透明導電膜に設けられる一対の電極の対向方向に沿って区分されており、
前記ボタン入力エリアにおける前記一対の電極間の抵抗値は、前記ディスプレイ入力エリアにおける前記一対の電極間の抵抗値より大きい、
請求項１または２に記載のタッチパネル装置。
【請求項４】
前記複数のボタンエリアは、前記一対の電極間に複数列設けられる場合、前記一対の電極の一方から他方までの間で前記接続部により一筆書き状に接続される、
請求項１〜３のいずれか１項に記載のタッチパネル装置。
【発明の詳細な説明】
【技術分野】
【０００１】
本開示は、タッチパネル装置に関する。
【背景技術】
【０００２】
４線式タッチパネルの一部領域をボタン入力エリアとして用いることが行われている（例えば特許文献１）。
【先行技術文献】
【特許文献】
【０００３】
【特許文献１】特開昭６１−１５１７２８号公報
【発明の概要】
【発明が解決しようとする課題】
【０００４】
従来のボタン入力エリアを設ける構成では、抵抗膜上のＸＹ座標値に対応するボタン番号を判定する必要があった。つまり、ボタン入力エリアの各ボタンをＸＹ座標値と関連付けておき、押下時に検出された座標値に基づいて押下されたボタンを判定していた。このような検出手法では、ボタンデザインが変更となった場合には、この変更に合わせてボタンとＸＹ座標値との対応関係も逐次変更する必要があった。
【０００５】
本開示は、上記に鑑みてなされたものであって、ボタン押下検出の汎用性を高めることができるタッチパネル装置を提供することを目的とする。
【課題を解決するための手段】
【０００６】
本発明の実施形態の一観点に係るタッチパネル装置は、互いに対向して配置される一対の透明導電膜を備えるタッチパネル装置であって、前記一対の透明導電膜の一方に設けられる複数のボタンエリアと、前記複数のボタンエリアのそれぞれの外縁に設けられる低抵抗額縁部と、前記複数のボタンエリアのうち、隣り合うボタンエリアの間を接続する高抵抗接続部と、を備え、前記複数のボタンエリアは、前記透明導電膜に設けられる一対の電極の間で電気的に直列に接続される。
【発明の効果】
【０００７】
本開示によれば、ボタン押下検出の汎用性を高めることができるタッチパネル装置を提供することができる。
【図面の簡単な説明】
【０００８】
【図１】実施形態に係る４線式のタッチパネル装置の断面図
【図２】実施形態に係る４線式のタッチパネル装置の斜視図
【図３】透明導電膜にボタン入力エリアを設けた第１の参考例を示す図
【図４】図３中のボタン入力エリアにおける電圧勾配特性を示す図
【図５】透明導電膜にボタン入力エリアを設けた第２の参考例を示す図
【図６】図５中のボタン入力エリアにおける電圧勾配特性を示す図
【図７】透明導電膜にボタン入力エリアを設けた実施形態の構成を示す図
【図８】図７中のボタン入力エリアにおける電圧勾配特性を示す図
【図９】図７中のボタン入力エリアの積層構造の一例を示す図
【図１０】ボタン入力エリアの２つの異なるレイアウト例を示す図
【図１１】図１０に示すレイアウト例における電圧勾配特性を示す図
【図１２】複数列のボタン接続構造の一例を示す図
【図１３】複数列のボタン接続構造の他の例を示す図
【図１４】高抵抗接続部の別形態の一例を示す図
【発明を実施するための形態】
【０００９】
以下、添付図面を参照しながら実施形態について説明する。説明の理解を容易にするため、各図面において同一の構成要素に対しては可能な限り同一の符号を付して、重複する説明は省略する。
【００１０】
まず図１及び図２を参照して、本実施形態に係るタッチパネル装置を説明する。図１は、実施形態に係るタッチパネル装置１の断面図である。図２はタッチパネル装置１の斜視図である。なお、各図において、Ｘ軸方向及びＹ軸方向は互いに垂直な方向であり、Ｘ軸方向は矩形状の透明導電膜３０，４０の一方の対辺の延在方向であり、Ｙ軸方向は透明導電膜３０，４０の他方の対辺の延在方向である。
【００１１】
本実施形態に係るタッチパネル装置１は、抵抗膜方式の４線式のタッチパネル装置である。抵抗膜方式のタッチパネルとは、上部電極基板及び下部電極基板に形成された各々の透明導電膜同士が対向するように設置し、上部電極基板の一点に力を加えることによる各々の透明導電膜同士の接触位置の検出を行うものである。
【００１２】
図１に示すように、４線式のタッチパネル装置１は、一方の面に透明導電膜３０の形成された上部電極基板となるフィルム１０と、一方の面に透明導電膜４０の形成された下部電極基板となるガラス２０を有し、透明導電膜３０及び透明導電膜４０が対向するようにスペーサ５０を介し接続されて形成されている。このようなタッチパネルはホストコンピュータ等と不図示のケーブルにより電気的に接続されている。透明導電膜３０，４０の材料は、例えばＩＴＯ（Ｉｎｄｉｕｍ  Ｔｉｎ  Ｏｘｉｄｅ）である。
【００１３】
図２に示すように、フィルム１０には、透明導電膜３０の形成された面のＸ軸方向の両端に、Ｙ軸方向に沿って電極３１及び３２が設けられている。ガラス２０には、透明導電膜４０の形成された面のＹ軸方向の両端に、Ｘ軸方向に沿って電極４１及び４２が設けられている。
【００１４】
このようなタッチパネル装置１において、タッチパネルに接触した点Ｐの位置を検出する場合には、上部電極基板における電極３１と電極３２とに電圧を印加する。本実施形態では、例えば電極３１を接地（０Ｖ）し、電極３２に電源電圧ＶＤＤ（例えば５Ｖ）を印加する。このとき、透明導電膜３０には、電極３１及び電極３２によりＸ軸方向に電位勾配が生ずるように電圧が印加されている。点Ｐにおいて透明導電膜３０と透明導電膜４０が接触すると、透明導電膜４０より点Ｐにおける電位を検出することができる。この検出電位に基づき、点ＰにおけるＸ座標を検出することができる。
【００１５】
同様に、下部電極基板における電極４１と電極４２とに電圧を印加して、例えば電極４１を接地し、電極４２に電源電圧ＶＤＤを印加する。このとき、透明導電膜４０には、電極４１及び電極４２によりＹ軸方向に電位勾配が生ずるように電圧が印加されている。点Ｐにおいて透明導電膜３０と透明導電膜４０が接触すると、透明導電膜３０より点Ｐにおける電位を検出することができる。この検出電位に基づき点ＰにおけるＹ座標を検出することができる。
【００１６】
本実施形態のタッチパネル装置１は、下部電極基板の透明導電膜４０にスリット５３を入れて物理的に区分することにより、透明導電膜４０に、画像表示や情報入力を行うディスプレイ入力エリア５１と、ボタン操作による入力を行うためのボタン入力エリア５２とが設けられている（図７参照）。
【００１７】
まず図３及び図４を参照して、透明導電膜４０を物理的に区分してボタン入力エリア５２を設ける参考例を説明する。図３は、透明導電膜４０にボタン入力エリア５２を設けた第１の参考例を示す図である。
【００１８】
図３に示すように、第１の参考例では、透明導電膜４０にＹ方向へ延びるスリット５３が設けられ、スリット５３により透明導電膜４０がＸ方向で２つに区分されている。図３の例では、図の左側（Ｘ負方向側）の部分がディスプレイ入力エリア５１であり、図の右側（Ｘ正方向側）の部分がボタン入力エリア５２である。
【００１９】
ディスプレイ入力エリア５１及びボタン入力エリア５２は、共にＹ軸方向の両端に電極４１及び電極４２が設けられ、電極４１，４２によりＹ軸方向に電位勾配が生ずるように電圧が印加される。図４は、図３中のボタン入力エリア５２における電圧勾配特性を示す図である。図４の横軸はボタン入力エリア５２の電極４１，４２間の位置を示し、図４の縦軸は印加電圧を示す。
【００２０】
第１の参考例では、図３に示すようにボタン入力エリア５２は単一の領域であり、この領域が電極４１，４２を含む。このため、図３に矢印で示すように、電源電位ＶＤＤが印加される電極４２の点Ａから接地電位が印加される電極４１の点Ｂの方向へ電圧降下が生じる。したがって、図４に示すように、ボタン入力エリア５２の電圧勾配特性は、電極４２の点Ａから電極４１の点Ｂまで単調減少する。
【００２１】
次に図５及び図６を参照して、透明導電膜４０を物理的に区分してボタン入力エリア５２を設ける第２の参考例を説明する。図５は、透明導電膜４０にボタン入力エリア５２を設けた第２の参考例を示す図である。
【００２２】
図５に示すように、第２の参考例では、図３においてディスプレイ入力エリア５１からスリット５３により区分されたボタン入力エリア５２を、さらに複数のボタンエリア５２Ａ，５２Ｂ，５２Ｃに区分する。第２の参考例では、ボタン入力エリア５２に設けられたＸ方向に延びる複数のスリット５４により、ボタン入力エリア５２がＹ方向で複数に区分されている。図５の例では、電源電位に接続される電極４２を含む電源電極エリア５２Ｄと、第１ボタンエリア５２Ａと、第２ボタンエリア５２Ｂと、第３ボタンエリア５２Ｃと、接地電位に接続される電極４１を含む接地電極エリア５２Ｅとを含み、これらのエリアがＹ方向に沿って直列に配列されている。
【００２３】
さらに第２の参考例では、電源電極エリア５２Ｄ、第１ボタンエリア５２Ａ、第２ボタンエリア５２Ｂ、第３ボタンエリア５２Ｃ、接地電極エリア５２Ｅのそれぞれの間を連結する高抵抗の接続部５５が設けられている。接続部５５は、エリア間のスリット５４のブリッジとして設けられる。これにより、第１ボタンエリア５２Ａと、第２ボタンエリア５２Ｂと、第３ボタンエリア５２Ｃとが、電極４１，４２と電気的に接続される。
【００２４】
接続部５５の材料は、第１ボタンエリア５２Ａ、第２ボタンエリア５２Ｂ、第３ボタンエリア５２Ｃの材料であるＩＴＯより抵抗値の高い材料（例えばカーボン系の導電材料）である。
【００２５】
第２の参考例においても、第１の参考例と同様に、ボタン入力エリア５２には、Ｙ軸方向の両端に設けられる電極４１，４２によって、Ｙ軸方向に電位勾配が生ずるように電圧が印加される。図６は、図５中のボタン入力エリア５２における電圧勾配特性を示す図である。図６の横軸、縦軸は図４と同様である。
【００２６】
第２の参考例では、図５に示すように、ボタン入力エリア５２は、電極４１，４２の間にＹ方向に直列に配列され、接続部５５により直列に接続された第１ボタンエリア５２Ａと、第２ボタンエリア５２Ｂと、第３ボタンエリア５２Ｃを含む。ボタン入力エリア５２では、電源電位ＶＤＤが印加される電極４２の点Ａから接地電位が印加される電極４１の点Ｂの方向へ電圧降下が生じる。ボタン入力エリア５２の電圧勾配特性は、図６に示すように接続部５５にて相対的に大きく減少し、第１ボタンエリア５２Ａと、第２ボタンエリア５２Ｂと、第３ボタンエリア５２Ｃでは相対的に小さく減少している。
【００２７】
次に図７〜図９を参照して、本実施形態に係る、透明導電膜４０を物理的に区分してボタン入力エリア５２を設ける構成を説明する。図７は、透明導電膜４０にボタン入力エリア５２を設けた実施形態の構成を示す図である。
【００２８】
図７に示すように、本実施形態では、低抵抗の額縁部５６を備える。額縁部５６は、第１ボタンエリア５２Ａと、第２ボタンエリア５２Ｂと、第３ボタンエリア５２Ｃの外縁に設けられる。額縁部５６の材料は、第１ボタンエリア５２Ａ、第２ボタンエリア５２Ｂ、第３ボタンエリア５２Ｃの材料であるＩＴＯより抵抗値が低い材料（例えば銀）である。第１ボタンエリア５２Ａと、第２ボタンエリア５２Ｂと、第３ボタンエリア５２Ｃは、それぞれの額縁部５６同士を高抵抗の接続部５５で接続することで直列接続される。すなわち、第１ボタンエリア５２Ａと、第２ボタンエリア５２Ｂと、第３ボタンエリア５２Ｃは、接続部５５と額縁部５６とが交互に配列されて電気的に接続されている。
【００２９】
図８は、図７のボタン入力エリア５２における電圧勾配特性を示す図である。図８の横軸、縦軸は図４及び図６と同様である。本実施形態では、図７に示すように、第１ボタンエリア５２Ａ、第２ボタンエリア５２Ｂ、第３ボタンエリア５２Ｃは額縁部５６で囲まれている。このため、図８に示すように、第１ボタンエリア５２Ａと、第２ボタンエリア５２Ｂと、第３ボタンエリア５２Ｃでは、電流が主に額縁部５６を通過して、電圧降下が生じず電圧が一定値に定まる。また、各ボタンエリア５２Ａ〜５２Ｃの間は接続部５５で接続されて電圧降下が生じるため、各ボタンエリア５２Ａ〜５２Ｃの電圧値は異なるものとなり、電極４２に近いほど高電位となり、電極４１に近いほど低電位となる。したがって、本実施形態では、第１ボタンエリア５２Ａ、第２ボタンエリア５２Ｂ、第３ボタンエリア５２Ｃの電圧値は、それぞれ異なる一定値となる。
【００３０】
図９は、図７のボタン入力エリア５２の積層構造の一例を示す図である。図９に示す積層構造は例えば以下の手順で作成できる。まず、ガラス２０の上面に形成された透明導電膜４０に、エッチングやレーザ等の手法を用いてスリット５３，５４が形成される。スリット５３により、透明導電膜４０がディスプレイ入力エリア５１とボタン入力エリア５２に区分され（図７参照）、スリット５４により、透明導電膜４０が第１ボタンエリア５２Ａ、第２ボタンエリア５２Ｂ、及び第３ボタンエリア５２Ｃに区分される。
【００３１】
次に、各ボタンエリア５２Ａ〜５２Ｃ間に、印刷等の手法により接続部５５が形成される。接続部５５は、スリット５４を跨ぎ各ボタンエリア５２Ａ〜５２Ｃの上に設けられる。接続部５５により、第１ボタンエリア５２Ａと第２ボタンエリア５２Ｂとが接続され、第２ボタンエリア５２Ｂと第３ボタンエリア５２Ｃとが接続される。
【００３２】
さらに、第１ボタンエリア５２Ａ、第２ボタンエリア５２Ｂ、及び第３ボタンエリア５２Ｃの外縁に、印刷等の手法により額縁部５６が形成される。額縁部５６は、各ボタンエリア及び接続部５５の上に設けられる。
【００３３】
本実施形態に係るタッチパネル装置１の効果を説明する。タッチパネル装置１は、互いに対向して配置される一対の透明導電膜３０，４０を備える。タッチパネル装置１は、一対の透明導電膜３０，４０の一方（本実施形態では透明導電膜４０）に設けられる複数のボタンエリア（第１ボタンエリア５２Ａ、第２ボタンエリア５２Ｂ、第３ボタンエリア５２Ｃ）と、各ボタンエリア５２Ａ〜５２Ｃの外縁に設けられる額縁部５６と、ボタンエリア５２Ａ〜５２Ｃのうちの隣り合うボタンエリアの間を接続する接続部５５と、を備える。第１ボタンエリア５２Ａ、第２ボタンエリア５２Ｂ、第３ボタンエリア５２Ｃは、透明導電膜４０に設けられる電極４１，４２の間で電気的に直列に接続される。
【００３４】
この構成により、図８を参照して説明したように、電極４１，４２に電圧を印加すると、各ボタンエリア５２Ａ〜５２Ｃを接続する接続部５５で電圧降下が生じ、また、各ボタンエリア５２Ａ〜５２Ｃでは額縁部５６に電圧がかかるため電圧降下が生じない。このため、各ボタンエリア５２Ａ〜５２Ｃが押下されたときに検出される電圧値をそれぞれ異なる一定値にできるので、各ボタンエリア５２Ａ〜５２Ｃと電圧値との対応付けをより明確にでき、ボタン操作の検出精度を向上できる。
【００３５】
ここで図１０及び図１１を参照して、複数のボタンエリア５２Ａ〜５２Ｃと電圧値との対応付けについてさらに説明する。図１０は、ボタン入力エリア５２の２つの異なるレイアウト例を示す図である。図１１は、図１０に示すレイアウト例における電圧勾配特性を示す図である。図１１の横軸、縦軸は図４、図６、図８と同様である。図１１の実線は図１０のレイアウト例（ａ）の電圧勾配特性を示し、図１１の点線は図１０のレイアウト例（ｂ）の電圧勾配特性を示す。
【００３６】
ボタン入力エリア５２の各ボタンエリアの電圧値は、電極４１，４２間（図７参照）のボタンエリアの数によって決まる。例えば、図１０（ａ）、（ｂ）に示すように、ボタンエリアの数は共通でボタンエリアの大きさが異なる２つの構成を考える。図１０（ａ）は、４つのボタンエリア（ボタン１ａ、ボタン２ａ、ボタン３ａ、ボタン４ａ）が同一のサイズの例である。一方、図１０（ｂ）は、４つのボタンエリア（ボタン１ｂ、ボタン２ｂ、ボタン３ｂ、ボタン４ｂ）のサイズが非同一の例である。図１０（ｂ）のボタン１ｂ及びボタン２ｂは、図１０（ａ）のボタン１ａ及びボタン２ａと比べて小さい。また、図１０（ｂ）のボタン３ｂは、図１０（ａ）のボタン３ａと比べて大きい。
【００３７】
図１０（ａ）、（ｂ）に示す構成では、ボタン入力エリア５２に設けられるボタンエリアの数は同一であるので、各ボタン間に配置される接続部５５の数も同一である。上述のように、ボタン入力エリア５２では接続部５５で電圧降下が生じる。このため、図１１に示すように図１０（ａ）（ｂ）に示す電圧勾配特性を比較すると、電源電位ＶＤＤから同じ順番のボタンエリアでは、サイズに応じて横軸方向のズレはあるものの、縦軸の電圧値は同一となっている。つまり、図１０（ａ）、（ｂ）の構成では、ボタンエリアのレイアウトは異なるものの、各ボタンエリアの電圧値は高電位側から同じ順番のもの同士で同一となっている。これにより、図１０（ａ）、（ｂ）のいずれの構成でも、ボタンエリアと電圧値とを対応付けた共通のコントローラを用いて、どのボタンが押されたかを検出できる。
【００３８】
このように、本実施形態のボタン入力エリア５２の構成により、ボタン入力エリア５２内の各ボタンエリア５２Ａ〜５２Ｃの個数が同一であれば、各ボタンエリアの大きさや配置が異なる場合でも各ボタンエリアと電圧値との対応付けの変更が不要であり、ボタン検出手法を共通化できる。したがって、本実施形態のタッチパネル装置１は、ボタン押下検出の汎用性を高めることができる。
【００３９】
また、本実施形態のタッチパネル装置１は、透明導電膜４０に形成され、複数のボタンエリア５２Ａ〜５２Ｃを区分するスリット５３，５４を備える。ボタンエリア間に透明導電膜４０が介在する場合には、ボタンエリア間の抵抗値は接続部５５と透明導電膜４０との合成抵抗となるため、接続部５５の抵抗値と比べて小さくなりボタンエリア間の電圧降下が十分に得られない場合がある。一方、ボタンエリア５２Ａ〜５２Ｃ間をスリット５３，５４で物理的に区切ることにより、各ボタンエリア５２Ａ〜５２Ｃ同士の接続部分を接続部５５のみに絞ることができるので、各ボタンエリア５２Ａ〜５２Ｃ間の接続部分の抵抗を十分に高くして電圧降下を確実に行うことができる。これにより、各ボタンエリア５２Ａ〜５２Ｃの電圧値の差異を大きくでき、ボタン操作の検出精度をさらに向上できる。
【００４０】
また、本実施形態のタッチパネル装置１では、ボタン入力エリア５２における一対の電極４１，４２間の抵抗値ＲＡＢは、ディスプレイ入力エリア５１における一対の電極４１，４２間の抵抗値ＲＣＤより大きいことが好ましい。
【００４１】
上述のとおり、ディスプレイ入力エリア５１及びボタン入力エリア５２は、透明導電膜４０に設けられる電極４１，４２の対向方向に沿って設けられるスリット５３で区分されており、電極４１，４２に並列に配置されている。ボタン入力エリア５２の抵抗値がディスプレイ入力エリア５１の抵抗値より小さいと、ボタン入力エリア５２により多くの電流が流れ、ディスプレイ入力エリア５１に流れる電流が少なくなる。このため、ディスプレイ入力エリア５１におけるタッチ位置検出の位置精度が損なわれる虞がある。そこで本実施形態では、上記のとおりＲＡＢ＞ＲＣＤとなるように両エリア５１，５２の抵抗値を調整することにより、ディスプレイ入力エリア５１の位置精度が損なわれないようにできる。
【００４２】
ここで、このような抵抗値の関係を実現する調整手法について説明する。ディスプレイ入力エリア５１における電極４１，４２間の抵抗値ＲＣＤは、次の（１）式で算出できる。
【００４３】
抵抗ＲＣＤ ≒ 幅Ｈ×長さＬ×材料（ＩＴＯ）の抵抗率    ・・・（１）
ここで、幅Ｈは、図７に示すようにディスプレイ入力エリア５１のＸ方向の寸法である。長さＬは、図７に示すように電極４１，４２間のＹ方向距離である。
【００４４】
ボタン入力エリア５２における電極４１，４２間の抵抗値ＲＡＢは、次の（２）式で算出できる。
【００４５】
抵抗ＲＡＢ ≒ （接続部５５の抵抗値×（ボタン数＋１）） ＋
（ボタンエリア内の額縁部５６の抵抗値×ボタン数）    ・・・（２）
【００４６】
上記（１）、（２）式のとおり、ディスプレイ入力エリア５１の抵抗値は、透明導電膜４０の抵抗率とエリアのサイズ比率によって決定される。ボタン入力エリア５２の抵抗値は、ボタン数と接続部５５の抵抗値と額縁部５６の抵抗値によって決定される。
【００４７】
透明導電膜４０の材料を変えない場合は、ディスプレイ入力エリア５１の抵抗値は変えることが出来ないため、ディスプレイ入力エリア５１の抵抗値をボタン入力エリア５２の抵抗値よりも低くするためには、ボタン入力エリア５２の抵抗値を高くする必要がある。
【００４８】
ボタン入力エリア５２の抵抗値は、主に接続部５５の抵抗値とボタン数によって決定されるが、ボタン数が構造上固定であれば接続部５５の抵抗値により調整することになる。例えば以下の（３）式が成り立つように、接続部５５の抵抗値を高くする。
【００４９】
ディスプレイ入力エリア５１の抵抗ＲＣＤ ＜ 
（接続部５５の抵抗値×（ボタン数＋１））     ・・・（３）
【００５０】
接続部５５の抵抗値を高くする手法は、例えば、透明導電膜４０の材料であるＩＴＯに対して高抵抗な材料で接続部５５を成形する、接続部５５の断面積を小さくする、などが挙げられる。
【００５１】
また、ボタン入力エリア５２の複数のボタンエリアを電極４１，４２の間に複数列設ける場合、本実施形態のタッチパネル装置１では、ボタンエリアは一方の電極４２から他方の電極４１までの間で接続部５５により一筆書き状に接続される。
【００５２】
図１２は、複数列のボタン接続構造の一例を示す図であり、図１３は、複数列のボタン接続構造の他の例を示す図である。一筆書き状の接続とは、例えば図１２に示すようにＸ方向に沿ってつづら折り状に接続される構成、図１３に示すようにＹ方向に沿ってつづら折り状に接続される構成、または、これらを組み合わせた構成を含む。図１２及び図１３では、電源電位ＶＤＤ側の電極４２から各ボタンエリアの接続順序を連続番号で示している。各ボタンエリアは、この番号の順で段階的に下がるように電圧値を出力する。
【００５３】
このように一筆書き状にボタンエリアを接続することにより、透明導電膜４０の電極４１，４２の間にボタンエリアを複数列設ける場合でも、各ボタンエリアを電極４１，４２間で電気的に直列に接続でき、各ボタンエリアの電圧値をそれぞれ異なる値にできる。
【００５４】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００５５】
上記実施形態では透明導電膜４０にボタン入力エリア５２を設ける構成を例示したが、ボタン入力エリア５２は透明導電膜３０または透明導電膜４０のいずれか一方に設けられればよく、透明導電膜３０にボタン入力エリア５２を設ける構成でもよい。
【００５６】
上記実施形態では接続部５５を透明導電膜４０より抵抗値の高い材料で作成する構成を例示したが、接続部５５は透明導電膜４０と同材料で作成することもできる。例えば図１４に示すように、ボタンエリア５２Ａ〜５２Ｃ間をスリット５４で完全に分離せず、透明導電膜４０の一部を残し、この残存部分５５Ａを接続部として用いることもできる。残存部分５５Ａは、ボタンエリア５２Ａ〜５２ＣのＸ方向の幅に対して狭められているので、ボタンエリア同士が幅全体で接続する場合と比べて断面積を小さくでき、これにより抵抗値を大きくできる。
【００５７】
上記実施形態では複数のボタンエリア５２Ａ〜５２Ｃをスリット５３，５４で物理的に区切る構成を例示したが、ボタンエリア５２Ａ〜５２Ｃをスリット５３，５４で物理的に区切らず、一枚の透明導電膜４０の部分をボタンエリアとして流用してもよい。この場合、各ボタンエリア５２Ａ〜５２Ｃとして流用する透明導電膜４０の各領域を低抵抗の額縁部５６でそれぞれ囲み、かつ、各領域の額縁部５６同士を高抵抗の接続部５５で接続することにより、複数のボタンエリア５２Ａ〜５２Ｃを作成できる。
【符号の説明】
【００５８】
１    タッチパネル装置
３０，４０    透明導電膜
３１，３２，４１，４２    電極
５１    ディスプレイ入力エリア
５２    ボタン入力エリア
５２Ａ，５２Ｂ，５２Ｃ    ボタンエリア
５３，５４    スリット
５５    接続部
５６    額縁部
【図１】
2019086811.tif 000003
【図２】
2019086811.tif 000004
【図３】
2019086811.tif 000005
【図４】
2019086811.tif 000006
【図５】
2019086811.tif 000007
【図６】
2019086811.tif 000008
【図７】
2019086811.tif 000009
【図８】
2019086811.tif 000010
【図９】
2019086811.tif 000011
【図１０】
2019086811.tif 000012
【図１１】
2019086811.tif 000013
【図１２】
2019086811.tif 000014
【図１３】
2019086811.tif 000015
【図１４】
2019086811.tif 000016